(57)【要約】【課題】利用者が普段見慣れている表示端末に省エネ促進情報を表示する省エネ促進システムを提供する。【解決手段】情報処理装置は、他の情報処理装置が測定した電力量を収集してデータベースに蓄積する機能と、もしネットワーク接続可能であれば、収集した電力量を情報管理センタに送信して、情報管理センタに蓄積されている省エネ促進情報を取得して、データベースに蓄積すると共に、他の表示端末に接続している情報処理端末に、テキストベースの省エネ促進情報のみを送信する機能を有する。【選択図】  図１
2011107797.tif 000002
【特許請求の範囲】
【請求項１】
電気機器と表示端末に直接接続可能であり、前記電気機器および前記表示端末の電力量を測定し、かつ通信機能を有する情報処理装置と、
前記情報処理装置とネットワークを介して接続され前記電気機器と前記表示端末の電力量と、前記表示端末向けの省エネ促進情報とを管理する情報管理センタと、
前記情報管理センタと通信により前記電気機器および前記表示端末の電力量を取得して、解析することで省エネ促進情報を生成し、前記情報管理センタに前記省エネ促進情報を提供する省エネサービスサーバと、から構成される省エネ促進システムであって、
前記情報処理装置は、他の情報処理装置が測定した電力量を収集してデータベースに蓄積する機能と、ネットワーク接続可能な場合には、収集した電力量を前記情報管理センタに送信して、前記情報管理センタに蓄積されている省エネ促進情報を取得して、データベースに蓄積すると共に、他の表示端末に接続している前記情報処理端末に、テキストベースの省エネ促進情報のみを送信する機能を有し、
前記情報管理センタは、前記情報処理装置が送信した前記電気機器と前記表示端末の電力量を管理するデータベースと、前記省エネサービスサーバから前記電気機器もしくは前記表示端末の電力量の取得要求に対して、条件にあった電力量を送信する機能と、前記省エネサービスサーバが生成した省エネ促進情報を受信して管理するデータベースと、前記情報処理装置からの省エネ促進情報取得要求に対して、データベースにある省エネ促進情報を送信する機能を有し、
前記情報処理装置が前記表示端末からの省エネ取得要求に対して、データベース内に蓄積している省エネ促進情報を提供することで、ネットワーク環境に応じた省エネ促進情報を表示端末に表示する省エネ促進システム。
【請求項２】
他の情報処理装置が測定した電力量を収集してデータベースに蓄積する機能と、ネットワーク接続可能な場合には、収集した電力量を前記情報管理センタに送信して、情報管理センタに蓄積されている省エネ促進情報を取得して、データベースに蓄積すると共に、他の表示端末に接続している情報処理端末に、テキストベースの省エネ促進情報のみを送信する機能を有し、
表示端末からの省エネ取得要求に対して、データベース内に蓄積している省エネ促進情報を提供することを特徴とする情報処理装置。
【請求項３】
情報処理装置が送信した電気機器と表示端末の電力量を管理するデータベースと、省エネサービスサーバから前記電気機器もしくは表示端末の電力量の取得要求に対して、条件にあった電力量を送信する機能と、前記省エネサービスサーバが生成した省エネ促進情報を受信して管理するデータベースとを有し、前記情報処理装置からの省エネ促進情報取得要求に対して、データベースにある省エネ促進情報を送信することを特徴とする情報管理センタ。
【請求項４】
請求項１に関する省エネ促進システムにおいて、
前記省エネサービスサーバが生成する省エネ促進情報が、テキストベースの省エネ情報と、省エネサービスサーバのＵＲＬから構成されることを特徴とする省エネ促進システム。
【発明の詳細な説明】
【技術分野】
【０００１】
本発明は、省エネ促進システム、情報処理装置、情報管理装置に関する。
【背景技術】
【０００２】
低炭素社会の実現を目指し、家庭内の省エネ活動が重要視されている。特に、2009年4月に省エネ法が改正され、工場や中小規模オフィスに加え、戸建て住宅においても、省エネの向上を促す措置の導入、省エネ性能の見える化が推進されている。
【０００３】
この中で、家全体の消費電力量や家電機器の単体の電力量をリアルタイムに計測して表示するシステムの開発が行われている。
【０００４】
特許文献１では、エアコン、照明器具、冷蔵庫等の各電気機器に接続して消費電力量を取得できる機器アダプタと、機器アダプタで取得した電力量を収集管理するデータセンタからシステムにおいて、他の家庭と比較するなどの演算処理を行い、各家庭の表示端末に省エネ啓蒙データを表示するエネルギー管理システムを提案している。
【先行技術文献】
【特許文献】
【０００５】
【特許文献１】特開２００３−１６２７８７号公報
【発明の概要】
【発明が解決しようとする課題】
【０００６】
しかしながら、特許文献１では、省エネ啓蒙データとして他の家庭と電力量を比較することなどを想定しているため、インターネット等の広域ネットワークの利用が前提となるが、家庭でのインターネット普及率は７割程度である。もし、インターネット回線を契約していない家庭は新規契約が必要となる。
【０００７】
また、表示端末もネットワークに接続可能なものが前提となっており、パソコンや専用端末が想定されるが、例えばパソコンに表示する場合はパソコンの操作に不慣れなユーザや日常においてパソコンを利用する頻度が少ない、閲覧のためにパソコンを起動させるなどが手間など、利用に不便さを感じる。
【０００８】
また専用端末に表示させる場合だとユーザは新規に端末を導入する必要があり、ユーザに専用端末を見る習慣がないなどの問題がある。
【０００９】
省エネ活動はユーザが意識的に実施することがもっとも望ましいが、現段階として、ユーザが率先して省エネ活動を実施するには、まずはユーザの意識改革が必要である。そのためにも、省エネ活動のために新たにネットワーク回線などの契約させることや、生活習慣を変えるなどのユーザに手間を掛けさせないシステムが効果的であると考える。
【００１０】
ここで、表示端末として、普及世帯率90%以上であるテレビを活用できれば便利である。特に、近年のテレビにはインターネットに接続可能なEthernet（登録商標）ポートが搭載されているおり、これを活用できれば効果的である。
【００１１】
しかしながら、そもそもインターネット回線を契約していないユーザはEthernetポートに何も接続していない。また、インターネット回線を契約していても、テレビにインターネット回線を接続していない家庭が存在する。さらに、テレビにインターネット回線を接続している家庭も存在する。
【００１２】
このように、家庭や表示端末のネットワーク接続状況が異なる環境であっても、そのネットワーク環境に適した省エネ促進情報を生成し、利用者が普段見慣れている表示端末に省エネ促進情報を表示する省エネ促進システムを提供することが望ましい。
【課題を解決するための手段】
【００１３】
本発明の省エネ促進システムは、
電気機器と表示端末に直接接続可能であり、電気機器および表示端末の電力量を測定し、かつ通信機能を有する情報処理装置と、情報処理装置とネットワークを介して接続され電気機器と表示端末の電力量と、表示端末向けの省エネ促進情報とを管理する情報管理センタと、情報管理センタと通信により電気機器および表示端末の電力量を取得して、解析することで省エネ促進情報を生成し、情報管理センタに省エネ促進情報を提供する省エネサービスサーバから構成される省エネ促進システムであって、情報処理装置は、他の情報処理装置が測定した電力量を収集してデータベースに蓄積する機能と、ネットワーク接続可能な場合には、収集した電力量を情報管理センタに送信して、情報管理センタに蓄積されている省エネ促進情報を取得して、データベースに蓄積すると共に、他の表示端末に接続している情報処理端末に、テキストベースの省エネ促進情報のみを送信する機能を有し、情報管理センタは、情報処理装置が送信した電気機器と表示端末の電力量を管理するデータベースと、省エネサービスサーバから電気機器もしくは表示端末の電力量の取得要求に対して、条件にあった電力量を送信する機能と、省エネサービスサーバが生成した省エネ促進情報を受信して管理するデータベースと、情報処理装置からの省エネ促進情報取得要求に対して、データベースにある省エネ促進情報を送信する機能を有し、情報処理装置が表示端末からの省エネ取得要求に対して、データベース内に蓄積している省エネ促進情報を提供することで、ネットワーク環境に応じた省エネ促進情報を表示端末に表示する。
【発明の効果】
【００１４】
本発明によれば、ネットワーク環境に適合する省エネ促進情報を提供することができる。
【図面の簡単な説明】
【００１５】
【図１】実施例１に係る省エネ促進システムの全体構成を示す図である。
【図２】（ａ）は、実施例１に係る情報処理装置（機器）の構成を示す図、（ｂ）は、実施例１に係る情報処理装置（表示端末）の構成を示す図である。
【図３】実施例１に係る機器用固有情報データベースの一例を示す図である。
【図４】（ａ）は、実施例１に係る表示端末用固有情報データベースの一例を示す図、（ｂ）は、実施例１に係るエネルギー情報データベースの一例の構成を示す図、（ｃ）は、実施例１に係る省エネ促進情報データベースの一例の構成を示す図である。
【図５】（ａ）は、実施例１に係る総合エネルギー情報データベースの一例を示す図、（ｂ）は、実施例１に係るセンタ省エネ促進情報の一例の構成を示す図である。
【図６】実施例１に係るユーザ省エネ促進情報データベースの一例を示す図である。
【図７】（ａ）は、実施例１形態に係る電力値通知パケットの一例を示す図、（ｂ）は、実施例１に係る省エネ促進情通知報パケットの一例を示す図である。
【図８】実施例１に係る電力量通知プログラムのフローチャートである。
【図９】実施例１に係るエネルギー情報受信プログラムのフローチャートである。
【図１０】実施例１に係る省エネ促進情報取得プログラムのフローチャートである。
【図１１】実施例１に係る省エネエネルギー表示情報応答プログラムのフローチャートである。
【図１２】実施例１に係る家庭内の電力値収集処理のシーケンス図である。
【図１３】実施例１に係る省エネサービスサーバの省エネ情報生成処理手順のシーケンス図である。
【図１４】実施例１に係る省エネ情報を取得する処理手順のシーケンス図である。
【図１５】実施例１に係る省エネ情報を表示装置に表示する処理手順のシーケンス図である。
【発明を実施するための形態】
【００１６】
以降、本発明を実施するための最良の形態（「本実施形態」という）を、図等を参照しながら詳細に説明する。図１〜図１５は実施形態の例１（実施例１）を示す図であり、これらの図において、同一の符号を付した部分は同一物を表し、基本的な構成および動作は同様であるものとする。
【実施例１】
【００１７】
図１は、実施例１に係る省エネ促進システムの全体構成の構成を示す図である。
【００１８】
本省エネ促進システムは、家庭内の機器（照明１０４、冷蔵庫１０５、エアコン１０６）やエネルギー管理装置（メータ付分電盤１０７、蓄電システム１０８、太陽光システム１０９など）に直接接続する情報処理装置（機器）１０１と、既存の表示端末（テレビ１０３など）に直接接続する情報処理装置（表示端末）１０２と、ブロードバンドルータ１３２を通りネットワーク１３０を介して情報処理装置（表示端末）１０２と接続される情報管理センタ１１０と、情報管理センタ１１０とネットワーク１３０で接続される省エネサービスサーバ１２０から構成される。  情報処理装置（機器）１０１は、機器の消費電力量を測定すると共に、電力線１３１を介して電力線通信方式により測定電力量を定期的（例えば３０分ごと）に通知する。  情報処理装置（表示端末）１０２は、表示端末の消費電力量を測定すると共に、電力線１３１を介して電力線通信方式により測定電力量を定期的（例えば３０分ごと）に通知して、さらに、情報処理装置（機器）１０１および他の情報処理装置（表示端末）１０２からの消費電力量を蓄積管理して、さらに、ネットワーク１３０を介して情報管理センタ１１０に接続されている場合は、定期的（例えば１時間ごと）情報管理センタ１１０に通知し、情報管理センタ１１０に蓄積されている省エネ情報を取得して表示端末に表示する。情報管理センタ１１０は、情報処理装置（表示端末）１０２から通知される消費電力量を蓄積する総合エネルギー情報データベース１１１と、省エネサービスサーバ１２０が生成した省エネ促進情報を蓄積するセンタ省エネ促進情報データベース１１２を有し、情報処理装置（表示端末）１０２からの省エネ促進情報取得要求に対して、もしセンタ省エネ促進情報データベース１１２に省エネ促進情報があれば、情報処理装置（表示端末）１０２に省エネ促進情報を提供する。省エネサービスサーバ１２０は、各家庭のユーザ情報、機器情報を管理するユーザ機器情報データベース１２１を有し、情報管理センタ１１０から各家庭の消費電力量を取得し、他の家庭と比較する、機器の消費電力量の異常を検知する、などの省エネに関する解析を行い、解析結果に応じた省エネ促進情報を生成して、情報管理センタ１１０に通知する。省エネサービスサーバ１２０は情報管理センタとは別の事業者が運営してもよい。
【００１９】
本実施例では、情報処理装置（機器）１０１と情報処理装置（表示端末）１０２のデータのやり取りを電力線通信方式としているが、その他、IEEE802.11a、IEEE802.11b、IEEE802.11g、IEEE802.15.4、BLUETOOTH（登録商標）、特定小電力無線、UWBなどの無線方式でも構わない。
【００２０】
図２（ａ）は、実施例１に係る情報処理装置（機器）の構成を示す図である。情報処理装置（機器）１０１は、中央制御装置２０１、主記憶装置２０２、表示部２０３、電力センサ部２０４、補助記憶装置２０５、屋内通信処理部２０６、屋内通信インターフェース２０７を有している。補助記憶装置２０５には、機器用固有情報データベース２０８が格納されている。補助記憶装置２０５の電力量通知プログラム２０９は、電力センサ部２０４が測定した情報を屋内通信インターフェース２０７から電力線通信により、送信するプログラムである。なお、後述する情報処理装置（機器）１０１における各処理や各動作フローは、中央制御装置２０１が主記憶装置２０２や補助記憶装置２０５から必要なプログラムを読み出して実行することにより実現する。
【００２１】
図２（ｂ）は、実施例１に係る情報処理装置（表示端末）の構成を示す図である。
【００２２】
情報処理装置（表示端末）１０２は、中央制御装置２１１、主記憶装置２１２、表示部２１３、電力センサ部２１４、補助記憶装置２１５、屋内通信処理部２１６、屋内通信インターフェース２１７、ネットワーク通信処理部２１８、ネットワークインターフェース２１９、機器通信インターフェース２２０を有している。補助記憶装置２０５には、表示端末用固有情報データベース２２１、エネルギー情報データベース２２２、省エネ促進情報データベース２２３が格納されている。
【００２３】
補助記憶装置２１５には電力通知プログラム２２４とエネルギー情報受信プラグラム２２５と省エネ促進情報取得プログラム２２６と表示情報応答プログラム２２７がある。
【００２４】
電力量通知プログラム２２４は、定期的に電力センサ部２０４が測定した情報を屋内通信インターフェース２０７から電力線通信により送信し、自身のエネルギー情報データベース２２２に電力値を格納するプログラムである。
【００２５】
エネルギー情報受信プラグラム２２５は、情報処理装置（機器）１０１と他の情報処理装置（表示端末）が送信した消費電力量を受信してエネルギー情報データベース２２２に格納し、もしネットワーク１３０を介して情報管理センタ１１０に接続されている場合にエネルギー情報データベース２２２の消費電力量を定期的に情報管理センタ１１０に通知するプログラムである。
【００２６】
省エネ促進情報取得プログラム２２６は、もしネットワーク１３０を介して情報管理センタ１１０に接続されている場合に、情報管理センタ１１０から省エネ促進情報を取得して、省エネ促進情報データベース２２３に格納し、他の情報処理装置（表示端末）１０２に省エネ促進情報を転送するプログラムである。
【００２７】
表示情報応答プログラム２２７は、表示端末から省エネに関する表示情報取得要求に対して、ネットワーク接続状況に応じて、エネルギー情報データベース２２２もしくは省エネ促進情報データベース２２３からデータを取得して、表示端末に返信するプログラムである。  なお、後述する情報処理装置（表示端末）１０２における各処理や各動作フローは、中央制御装置２１１が主記憶装置２１２や補助記憶装置２１５から必要なプログラムを読み出して実行することにより実現する。
【００２８】
表示部２０３、２１３は、電力センサ部２０４、２１４で測定した消費電力量を表示する、機器用固有情報データベース２０８の内容を表示する等に利用することを想定しているが、表示部２０３、２１３がなくても動作には影響はない。
【００２９】
図３は、実施例１に係る機器用固有情報データベースの一例を示す図である。機器用固有情報データベース２０８においては、機器ＩＤ、機器名称及び宅内通信ＩＤが記憶されている。
【００３０】
機器ＩＤ欄３０１の機器ＩＤは、情報処理装置（機器）１０１を一意に特定する識別子である。機器名称欄３０２の機器名称は、情報処理装置（機器）１０１に直接接続されている機器の名称を表す。宅内通信ＩＤ欄３０３の宅内通信ＩＤは、通信において、通信機器としての情報処理装置（機器）１０１を一意に特定する識別子である。
【００３１】
図４（ａ）は、実施例１に係る表示端末用固有情報データベースの一例を示す図である。
【００３２】
表示端末用固有情報データベース２２１においては、機器ＩＤ、機器名称、ネットワークＩＤ、ＩＰアドレス、サブネットマスク、デフォルトゲートウエイ、センタＩＰアドレス、宅内通信ＩＤが記憶されている。
【００３３】
機器ＩＤ欄４０１の機器ＩＤは、情報処理装置（表示端末）１０２を一意に特定する識別子である。機器名称欄４０２の機器名称は、情報処理装置（表示端末）１０２に直接接続されている機器の名称を表す。ネットワークＩＤ欄４０３のネットワークＩＤは、ネットワーク通信において、情報処理装置（表示端末）１０２を一意に特定する識別子である。ＩＰアドレス欄４０４のＩＰアドレスは、ネットワーク通信において、情報処理装置（表示端末）１０２に対して付与されるＩＰアドレスである。サブネットマスク欄４０５のサブネットマスクは、ＩＰネットワーク通信に必要なサブネットマスクである。デフォルトゲートウエイ欄４０６のデフォルトゲートウエイは、ＩＰネットワーク通信に必要なデフォルトゲートウエイである。センタＩＰアドレス欄４０７のセンタＩＰアドレスは、情報管理センタ１１０に対して付与されるＩＰアドレスである。宅内通信ＩＤ欄４０８の宅内通信ＩＤは、通信において、通信機器としての情報処理装置（表示端末）１０２を一意に特定する識別子である。
【００３４】
図４（ｂ）は、実施例１に係るエネルギー情報データベースの一例を示す図である。
【００３５】
エネルギー情報データベース２２２は、情報処理装置（表示端末）１０２が情報処理端末（表示端末）１０２および情報処理装置（機器）１０１から受信した消費電力量を格納するデータベースであり、機器ＩＤ欄４１１に記憶された情報処理端末（表示端末）１０２および情報処理装置（機器）１０１の機器ＩＤに関連付けて、機器名称欄４１２には機器名称が、電力量欄４１３には消費電力量が、それぞれ記憶されている。
【００３６】
機器ＩＤと機器名称は図２および図３（ａ）の機器ＩＤと機器名称と同じであり、電力量は機器ＩＤおよび機器名称に対応した消費電力量の値である。
【００３７】
図４（ｃ）は、実施例１に係る省エネ促進情報データベースの一例を示す図である。
【００３８】
省エネ促進情報データベース２２３は、サービス情報欄４２１には情報管理センタ１１０から取得した省エネ促進情報の中の省エネテキスト情報を、ＵＲＬ欄４２２には省エネ促進情報を生成した省エネサービスサーバのＵＲＬが、それぞれ記憶されている。
【００３９】
ＵＲＬは表示端末が直接ネットワーク１３０を介して省エネサービスサーバに接続できる状況の場合で、より多くの省エネ促進情報が省エネサービスサーバに存在する場合に利用する。
【００４０】
例えば、４２３欄では、「エアコンの設定温度が平均より高いです」という省エネテキスト情報のみである。
【００４１】
４２４欄では、省エネテキスト情報として「エコ情報あり！！」というテキスト情報であり、エコ情報の詳細を促すＵＲＬを格納する。
【００４２】
このように省エネ促進情報を省エネテキスト情報と省エネサービスサーバＵＲＬとに分けることで、情報処理装置（表示端末）１０２が直接ネットワーク１３０に接続できずに電力線通信でしか通信できない場合にはテキストのみの情報を提供し、直接ネットワーク１３０に接続できる場合はＵＲＬ付きの情報を提供することで、ネットワーク状況に応じた省エネ促進情報を提供する。
【００４３】
図５（ａ）は、実施例１に係る総合エネルギー情報データベースの一例を示す図である。
【００４４】
総合エネルギー情報データベース１１１は、情報管理センタ１１０に接続可能な情報処理装置（表示端末）１０２が送信した情報処理装置（機器）１０１および情報処理装置（表示端末）１０２に応じた電力量を格納するデータベースであり、表示端末機器ＩＤ欄５０１に記憶された情報管理センタ１１０に送信した情報処理装置（表示端末）１０２の機器ＩＤに関連して、機器ＩＤ欄５０２には消費電力量を計測した情報処理装置（機器）１０１および情報処理装置（表示端末）１０２の機器ＩＤ、機器名称欄５０３には機器名称、電力量欄５０４には機器の消費電力量、時刻欄５０５には消費電力量を受信した時刻がそれぞれ記憶されている。
【００４５】
図５（ｂ）は、実施例１に係るセンタ省エネ促進情報データベースの一例を示す図である。
【００４６】
センタ省エネ促進情報データベース１１２は、省エネサービスサーバ１２０が生成した省エネ促進情報を格納するデータベースであり、表示端末機器ＩＤ欄５１１に記憶されている省エネ促進情報を提供する情報処理装置（表示端末）１０２の機器ＩＤに関連して、省エネテキスト情報欄５１２には省エネサービスサーバが生成した省エネ促進情報の省エネテキスト情報、ＵＲＬ欄５１３には省エネサービスサーバのＵＲＬがそれぞれ記憶されている。
【００４７】
図６は、実施例１に係るユーザ情報データベースの一例を示す図である。
【００４８】
ユーザ情報データベース１２１においては、ユーザＩＤ欄６０１に記憶されたユーザＩＤに関連付けて、パスワード欄６０２にはパスワードが、メールアドレス欄６０３はメールアドレスが、登録機器ＩＤ欄６０４には登録している情報処理装置（表示端末）１０１と情報処理装置（機器）１０２の機器ＩＤが、それぞれ記憶されている。
【００４９】
ユーザ情報データベース１２１には、前記のパスワード、メールアドレスに限られず、電話番号やクレジットカード番号などのその他の個人情報（これらを纏めて「ユーザ情報」という）を記憶する欄を設けてもよい。
【００５０】
ユーザ情報データベース１２１のレコードは、ユーザの数だけ存在する。
【００５１】
ユーザ情報データベース１２１の情報は、省エネサービスサーバ１２０のサービスを利用したユーザが必要な情報を事前に登録しておく。
【００５２】
図７（ａ）は、実施例１に係る電力値通知パケットの一例を示す図である。
【００５３】
電力値通知パケット７０１は、情報処理装置（機器）１０１および情報処理装置（表示端末）１０２が電力センサ部２０４，２１４により取得した電力値を送信する際と、情報処理装置（表示端末）１０２が情報管理センタ１１０に電力値を送信する際のパケットであり、パケット名７０２、パケット長７０３、送信機器ＩＤ７０４、機器ＩＤ７０５、電力値７０６から構成される。パケット長７０３に応じて機器ＩＤ７０５と電力値７０６の組み合わせ個数が決まる。
【００５４】
パケット名７０２は、パケットの種類を表す情報である。パケット長７０３は、パケットの長さを表す情報である。送信機器ＩＤ７０４は、パケットを送信した情報処理装置（表示端末）１０２の機器ＩＤを表す情報である。機器ＩＤ７０５は、電力値７０６を測定した情報処理装置（機器）１０１および情報処理装置（表示端末）１０２の機器ＩＤを表す情報である。
【００５５】
図７（ｂ）は、実施例１に係る省エネ促進情報通知パケットの一例を示す図である。
【００５６】
省エネ促進情報通知パケット７１１は、省エネサービスサーバ１２０が情報管理センタ１１０に省エネ促進情報を送信する際と、情報管理センタ１１０が情報処理装置（表示端末）１０２に省エネ促進情報を送信する際のパケットであり、パケット名７１２、パケット長７１３、表示端末機器ＩＤ７１４、省エネテキスト情報７１５、サービスサーバＵＲＬ７１６から構成される。
【００５７】
図８は、実施例１に係る電力量通知プログラムのフローチャートである。
【００５８】
電力量通知プログラム２０９，２２４は、定期的に電力センサ部２０４、２１４が測定した情報を屋内通信インターフェース２０７から電力線通信により、送信するプログラムである。
【００５９】
まず、電力センサ部２０４，２１４から電力値を取得し（ステップ８０１）、電力値通知パケット７０１を生成して電力線通信によりブロードキャストで送信する。（ステップ８０２）。もし情報処理装置（表示端末）１０２であれば（ステップ８０３）、取得した電力値をエネルギー情報データベース２２２に格納する（ステップ８０４）。一定時間待機後（ステップ８０５）、ステップ８０１に戻る。
【００６０】
図９は、実施例１に係るエネルギー情報受信プラグラムのフローチャートである。
【００６１】
エネルギー情報受信プログラム２２５は、情報処理装置（機器）１０１と他の情報処理装置（表示端末）１０２が送信した消費電力量を受信してエネルギー情報データベース２２２に格納し、もしネットワーク１３０を介して情報管理センタ１１０に接続されている場合にエネルギー情報データベース２２２の消費電力量を定期的に情報管理センタ１１０に通知するプログラムである。
【００６２】
まず、電力値通知パケット７０１を受信し（ステップ９０１）、電力値通知パケット７０１の機器ＩＤがエネルギー情報データベース２２２に存在するかどうかを確認する（ステップ９０２）。もし存在すれば、エネルギー情報データベース２２２の機器ＩＤの電力値を上書きし（ステップ９０３）、存在しなければ、エネルギー情報データベース２２２に新規に機器ＩＤと電力値のレコードを追加する（ステップ９０４）。次に、情報管理センタへの接続を確認し（ステップ９０５）、もし接続されていれば、電力値通知パケットを情報管理センタへ転送して（ステップ９０６）、終了する。
【００６３】
ここでは、情報処理装置（機器）１０１と他の情報処理装置（表示端末）１０２から電力値通知パケットを受信したらすぐに情報管理センタ１１０に転送しているが、受信後数回に１回だけなど、情報処理装置（表示端末）１０２により情報管理センタ１１０に送信する頻度を変更しても良い。
【００６４】
図１０は、実施例１に係る省エネ促進情報取得プラグラムのフローチャートである。
【００６５】
省エネ促進情報取得プログラム２２６は、もしネットワーク１３０を介して情報管理センタ１１０に接続されている場合に、情報管理センタ１１０から省エネ促進情報を取得して、省エネ促進情報データベース２２３に格納するプログラムである。ここでは、ネットワーク１３０に接続されていることを前提にプログラムのフローについて説明する。
まず、情報管理センタ１１０に省エネ促進情報取得要求を送信し（ステップ１００１）、情報管理センタ１１０から省エネ促進情報通知パケット７０２を受信待ちする（ステップ１００２）。もし、受信すれば、省エネ促進情報の省エネテキスト情報とサービスサーバＵＲＬを省エネ促進情報データベース２２３に格納し（ステップ１００３）、省エネテキスト情報のみ電力線通信によりブロードキャスト送信して（ステップ１００４）終了する。もし、返信がなければ、そのまま終了する。
【００６６】
図１１は、実施例１に係る表示情報応答プラグラムのフローチャートである。
【００６７】
表示情報応答プログラム２２７は、表示端末から省エネに関する表示情報取得要求に対して、ネットワーク接続状況に応じて、エネルギー情報データベース２２２もしくは省エネ促進情報データベース２２３からデータを取得して、表示端末に返信するプログラムである。
【００６８】
まず、表示端末から表示情報取得要求を取得する（ステップ１１０１）。次に、省エネ促進情報データベース２２３にレコードがあるかどうかを確認する（ステップ１１０２）。もしレコードがあれば、省エネ促進情報データベース２２３から省エネテキスト情報とサービスサーバＵＲＬを取得し（ステップ１１０３）、表示端末に通知する（ステップ１１０４）。最後に、省エネ促進情報データベース２２３から情報を削除して（ステップ１１０５）、終了する。もしレコードがなければ、エネルギー情報データベース２２２から機器名称と電力量をランダムに取得し（ステップ１１０６）、表示端末に通知して（ステップ１１０７）、終了する。
【００６９】
図１２は、実施例１に係る家庭内の電力値収集処理のシーケンス図である。
【００７０】
最初に、情報処理装置（機器）１０１、情報処理装置（表示端末）１０２は、電力センサ部２０４，２１４により電力値を測定し（１２０１）、電力値通知パケット７０１を電力線通信によりブロードキャストで送信する（１２０２）。情報処理装置（表示端末）１０２は、電力値通知パケット７０１を受信すると、エネルギー情報データベース２２２に機器ＩＤと機器名称と電力値を格納し（１２０３）、もしネットワーク接続があれば（１２０４）、情報管理センタ１１０に電力値通知パケット７０１を送信する（１２０５）。情報管理センタ１１０は電力値通知パケット７０１を受信すると、総合エネルギー情報データベース１１２に送信機器ＩＤと機器ＩＤと機器名称と電力値を格納して（１２０６）、情報処理装置（表示端末）１０２にＯＫを返信する（１２０７）。
【００７１】
図１３は、実施例１に係る省エネサービスサーバの省エネ情報生成処理手順のシーケンス図である。
【００７２】
最初に、省エネサービスサーバ１２０は情報管理センタ１１０に、各家庭の機器や必要な期間などの条件をもとに電力値取得要求を送信する（１３０１）。情報管理センタ１１０は、条件に対応した情報を総合エネルギー情報データベース１１２から抽出して（１３０２）、電力値を返信する（１３０３）。省エネサービスサーバ１２０は、取得した電力値をもとに、他の家庭と比較する、機器単体の電力消費状況などを分析して、「平均より使いすぎですよ」、「省エネ機器への買い替えをお勧めします」、などテキストベースの省エネテキスト情報、もしくは年月日などの電力推移グラフ、同家族構成の家庭との比較グラフ、お勧め省エネ機器商品の広告、などリッチコンテンツを生成して、そのＵＲＬを作成する（１３０４）。テキストベースの省エネテキスト情報とサービスサーバＵＲＬを省エネ促進情報通知パケット７０２として情報管理センタ１１０へ送信する（１３０５）。情報管理センタ１１０は、省エネ促進情報通知パケット７０２を受信すると、省エネ促進情報データベース２２３に格納して（１３０６）、省エネサービスサーバ１２０にＯＫを返信する（１３０７）。
【００７３】
図１４は、実施例１に係る省エネ情報を取得する処理手順のシーケンス図である。
【００７４】
最初に、情報処理装置（表示端末）１０２は情報処理センタ１１０に省エネ情報取得要求を送信する（１４０１）。情報管理センタ１１０は、省エネ情報取得要求を受信すると、情報処理装置（表示端末）にあった省エネ促進情報をセンタ省エネ促進情報データベース１１１から検索し（１４０２）、もしあれば省エネ促進情報通知パケット７０２として送信する（１４０３）。そして、センタ省エネ促進情報データベース１１１から省エネ促進情報を削除する（１４０４）。情報処理装置（表示端末）１０２は省エネ促進通知パケットを受信すると、省エネ促進情報データベース２２３に格納して（１４０５）、省エネテキスト情報のみを電力線通信によりブロードキャスト送信する（１４０６）。ネットワーク接続されていない情報処理装置（機器）１０１と情報処理装置（表示端末）１０２は省エネテキスト情報を受信後、省エネ促進情報データベース２２３に格納する（１４０７）。
【００７５】
図１５は、  実施例１に係る省エネ情報を表示装置に表示する処理手順のシーケンス図である。
【００７６】
最初に、表示装置が省エネ情報取得要求を情報処理装置（表示端末）１０２に送信する（１５０１）。情報処理装置（表示端末）１０２は省エネ情報取得要求を受信すると、自身のネットワーク状況に応じて、エネルギー情報データベース２２２もしくは省エネ促進情報データベース２２３から省エネ促進情報を取り出し（１５０２）、表示装置に省エネ促進情報を送信し（１５０３）、省エネ促進情報データベース２２３から省エネ促進情報を送信した省エネ促進情報データベース２２３の情報を削除する（１５０４）。表示装置は省エネ促進情報を受信後、省エネ促進情報を表示する（１５０５）。もし、省エネ促進情報の中にＵＲＬがある場合は、ＵＲＬのアドレスにアクセスして、よりリッチコンテンツの省エネ促進情報を取得する（１５０６）。
【００７７】
以上により、情報処理装置（表示端末）１０２は、表示端末からの表示情報取得要求に対して、表示端末もしくは情報処理装置（表示端末）１０２がネットワークに直接繋がっていれば省エネテキスト情報とサービスサーバＵＲＬを表示して、さらにサービスサーバＵＲＬの省エネに関するコンテンツを表示し、表示端末および情報処理装置（表示端末）１０２がネットワークに直接繋がっていないが他の情報処理装置（表示端末）１０２がネットワークに繋がっている場合は省エネテキスト情報のみを表示端末に表示し、どの情報処理装置（表示端末）１０２もネットワークに接続されていない場合は機器の電力値を表示端末に表示する、というように家庭内のネットワーク状況に応じて省エネ促進情報を表示端末に表示することが可能となる。
【００７８】
本実施例では、表示端末としてテレビ１０３を想定しており、実施例１の表示端末機能はファームウェアアップデートを実施することで実現できる。ファームウェアアップデートは放送波により自動で更新することができ、また、テレビ１０３接続の情報処理装置（表示端末）１０２の情報を取得して、アップデートするファームウェアを自動で選択することも可能である。
よって、現状の家庭内のネットワーク環境を変更せずに、ネットワーク環境にあった省エネ促進情報を提供することができ、かつネットワーク環境を変更することで、より詳細な省エネ促進情報を家庭にあるテレビを通じて提供することができる。
【符号の説明】
【００７９】
101…情報処理装置（機器）
102…情報処理装置（表示端末）
103…テレビ
104…照明
105…洗濯機
106…エアコン
107…メータ付き分電盤
108…蓄電システム
109…太陽光システム
110…情報管理センタ
111…総合エネルギー情報データベース
112…センタ省エネ促進情報データベース
120…省エネサービスサーバ
121…ユーザ情報データベース
130…ネットワーク
131…電力線
132…ブロードバンドルータ
201、211…中央制御装置
202、212…主記憶装置
203、213…表示部
204、214…電力センサ部
205、215…補助記憶装置
206、216…屋内処理装置部
207、217…屋内通信インターフェース
208…機器用固有情報データベース
209、224…電力量通知プログラム
218…ネットワーク通信処理部
219…ネットワーク通信インターフェース
220…機器通信インターフェース
221…表示端末用固有情報データベース
222…エネルギー情報データベース
223…省エネ促進情報データベース
224…エネルギー情報受信プログラム
225…省エネ促進情報取得プログラム
226…表示情報応答プログラム
【図１】
2011107797.tif 000003
【図２】
2011107797.tif 000004
【図３】
2011107797.tif 000005
【図４】
2011107797.tif 000006
【図５】
2011107797.tif 000007
【図６】
2011107797.tif 000008
【図７】
2011107797.tif 000009
【図８】
2011107797.tif 000010
【図９】
2011107797.tif 000011
【図１０】
2011107797.tif 000012
【図１１】
2011107797.tif 000013
【図１２】
2011107797.tif 000014
【図１３】
2011107797.tif 000015
【図１４】
2011107797.tif 000016
【図１５】
2011107797.tif 000017